(57)【要約】【課題】  ＨＤＤＶＤ層に記録されたＨＤモードのビデオコンテンツの著作権保護を図りながら、ＨＤＤＶＤ層とＤＶＤ層の再生を円滑に行い得るようにする。【解決手段】  装着されたディスクがハイブリッド型次世代ＤＶＤである場合（Ｓ２０）、接続先ＴＶ装置２００がＨＤモードに対応するかが判別される（Ｓ２１）。かかる判別は、たとえば、接続先のＴＶ装置２００の著作権保護機能が予め設定された条件を充足するかにより行われる。ＨＤモードに対応する場合は、ＨＤＤＶＤ層を優先した再生が行われる（Ｓ２２）。ＨＤモードに対応しない場合は、ＤＶＤ層を優先した再生が行われる（Ｓ２３）。このように、ＴＶ装置２００の著作権保護機能が十分でない場合にＤＶＤ層を優先することにより、ＨＤＤＶＤ層に記録されたＨＤモードのビデオコンテンツが接続先ＴＶ装置２００を介して外部に流出するのを抑制できる。【選択図】    図５
2007012182.tif 000002
【特許請求の範囲】
【請求項１】
ＤＶＤ層と次世代ＤＶＤ層が積層方向に配されたハイブリッド型光ディスクを再生可能な光ディスク装置において、
接続先モニターの機能を判別する判別手段と、
前記判別手段における判別結果に基づいて前記ハイブリッド型光ディスクに配されたＤＶＤ層と次世代ＤＶＤ層の何れかを他の層に優先して再生する再生手段と、
を有することを特徴とする光ディスク装置。
【請求項２】
請求項１に記載の光ディスク装置において、
前記判別手段は、前記接続先モニターの機能が前記次世代ＤＶＤ層の再生に対応するかを判別し、前記次世代ＤＶＤ層の再生に対応するとき、前記再生手段は、前記ＤＶＤ層に優先して、前記次世代ＤＶＤ層に対する再生処理を実行する、
ことを特徴とする光ディスク装置。
【請求項３】
請求項２に記載の光ディスク装置において、
前記判別手段は、前記接続先モニターの著作権保護機能が予め設定された条件を充足するかを判別し、該条件を充足するとき、前記再生手段は、前記ＤＶＤ層に優先して、前記次世代ＤＶＤ層に対する再生処理を実行する、
ことを特徴とする光ディスク装置。
【請求項４】
請求項３に記載の光ディスク装置において、
前記接続先モニターの著作権保護機能が前記条件を充足しないとき、前記再生手段は、前記次世代ＤＶＤ層に対する再生処理を禁止する、
ことを特徴とする光ディスク装置。
【請求項５】
請求項３または４に記載の光ディスク装置において、
前記判別手段は、前記著作権保護機能を評価するための情報を前記接続先モニターから取得する手段を備える、
ことを特徴とする光ディスク装置。
【請求項６】
請求項２に記載の光ディスク装置において、
前記判別手段は、前記接続先モニターの機能が高精細モードに対応するかを判別し、該高精細モードに対応するとき、前記再生手段は、前記ＤＶＤ層に優先して、前記次世代ＤＶＤ層に対する再生処理を実行する、
ことを特徴とする光ディスク装置。
【請求項７】
請求項６に記載の光ディスク装置において、
前記判別手段は、さらに、前記接続先モニターの著作権保護機能が予め設定された条件を充足するかを判別し、該条件をさらに充足するとき、前記再生手段は、前記ＤＶＤ層に優先して、前記次世代ＤＶＤ層に対する再生処理を実行する、
ことを特徴とする光ディスク装置。
【請求項８】
請求項７に記載の光ディスク装置において、
前記判別手段にて、前記接続先モニターの著作権保護機能が予め設定された条件を充足するが、前記高精細モードには対応しないと判別されたとき、前記再生手段は、前記次世代ＤＶＤ層に優先して、前記ＤＶＤ層に対する再生処理を実行する、
ことを特徴とする光ディスク装置。
【請求項９】
請求項８に記載の光ディスク装置において、
前記再生手段は、前記次世代ＤＶＤ層に対するジャンプ指令に応じて、前記次世代ＤＶＤ層に対する再生処理を実行する、
ことを特徴とする光ディスク装置。
【請求項１０】
請求項６ないし９の何れかに記載の光ディスク装置において、
前記判別手段は、前記接続先モニターの機能を評価するための情報を前記接続先モニターから取得する手段を備える、
ことを特徴とする光ディスク装置。
【発明の詳細な説明】
【技術分野】
【０００１】
本発明は、光ディスク装置に関し、特に、ＤＶＤ層と次世代ＤＶＤ層が積層方向に配されたハイブリッド型光ディスクを再生可能な光ディスク装置に用いて好適なものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、「ＨＤＤＶＤ層」という）と、赤色レーザ光に対応する記録層（以下、「ＤＶＤ層」という）の２つの記録層を積層方向に配することが検討されている。
【０００３】
かかる次世代ＤＶＤ（以下、「ハイブリッド型次世代ＤＶＤ」という）では、大容量のＨＤＤＶＤ層に高精細（ＨＤ：High-Definition）モードにてビデオコンテンツを記録し、ＤＶＤ層には標準（ＳＤ：Standard）モードにて同一コンテンツを記録する形態が想定される。この場合、ＨＤＤＶＤ層に記録されたＨＤモードのビデオコンテンツには、特に厳格な著作権保護が要求される。
【０００４】
なお、以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
ハイブリッド型次世代ＤＶＤを再生するドライブ装置では、ＤＶＤ層とＨＤＤＶＤ層の何れを優先して再生するかが検討される。この場合、一つの方法として、より大容量のＨＤＤＶＤ層を優先して再生する方法を用いることができる。
【０００６】
しかし、こうすると、接続先モニターの著作権保護機能が十分でない場合に、当該モニターを介して、ＨＤＤＶＤ層に記録されたＨＤモードのビデオコンテンツが不法に取り出される惧れがある。また、接続先モニターがＨＤモードに対応していないような場合に、不必要に、ＨＤＤＶＤ層を再生すると、その分、ＨＤモードのビデオコンテンツが不法コピーに晒される危険性が増大する。この場合、ＨＤモードのビデオコンテンツを再生する必要はなく、ＤＶＤ層に記録された同一内容のＳＤモードのビデオコンテンツを再生すれば十分である。
【０００７】
そこで、本発明は、このような問題を解消し、ＨＤＤＶＤ層に記録されたＨＤモードのビデオコンテンツの著作権保護を図りながら、ＨＤＤＶＤ層とＤＶＤ層の再生を円滑に行い得る光ディスク装置を提供することを課題とする。
【課題を解決するための手段】
【０００８】
上記課題に鑑み本発明は、それぞれ以下の特徴を有する。
【０００９】
請求項１の発明は、ＤＶＤ層と次世代ＤＶＤ層が積層方向に配されたハイブリッド型光ディスクを再生可能な光ディスク装置において、接続先モニターの機能を判別する判別手段と、前記判別手段における判別結果に基づいて前記ハイブリッド型光ディスクに配されたＤＶＤ層と次世代ＤＶＤ層の何れかを他の層に優先して再生する再生手段とを有することを特徴とする。
【００１０】
請求項２の発明は、請求項１に記載の光ディスク装置において、前記判別手段は、前記接続先モニターの機能が前記次世代ＤＶＤ層の再生に対応するかを判別し、前記次世代ＤＶＤ層の再生に対応するとき、前記再生手段は、前記ＤＶＤ層に優先して、前記次世代ＤＶＤ層に対する再生処理を実行することを特徴とする。
【００１１】
請求項３の発明は、請求項２に記載の光ディスク装置において、前記判別手段は、前記接続先モニターの著作権保護機能が予め設定された条件を充足するかを判別し、該条件を充足するとき、前記再生手段は、前記ＤＶＤ層に優先して、前記次世代ＤＶＤ層に対する再生処理を実行することを特徴とする。
【００１２】
請求項４の発明は、請求項３に記載の光ディスク装置において、前記接続先モニターの著作権保護機能が前記条件を充足しないとき、前記再生手段は、前記次世代ＤＶＤ層に対する再生処理を禁止することを特徴とする。
【００１３】
請求項５の発明は、請求項３または４に記載の光ディスク装置において、前記判別手段は、前記著作権保護機能を評価するための情報を前記接続先モニターから取得する手段を備えることを特徴とする。
【００１４】
請求項６の発明は、請求項２に記載の光ディスク装置において、前記判別手段は、前記接続先モニターの機能が高精細モードに対応するかを判別し、該高精細モードに対応するとき、前記再生手段は、前記ＤＶＤ層に優先して、前記次世代ＤＶＤ層に対する再生処理を実行することを特徴とする。
【００１５】
請求項７の発明は、請求項６に記載の光ディスク装置において、前記判別手段は、さらに、前記接続先モニターの著作権保護機能が予め設定された条件を充足するかを判別し、該条件をさらに充足するとき、前記再生手段は、前記ＤＶＤ層に優先して、前記次世代ＤＶＤ層に対する再生処理を実行することを特徴とする。
【００１６】
請求項８の発明は、請求項７に記載の光ディスク装置において、前記判別手段にて、前記接続先モニターの著作権保護機能が予め設定された条件を充足するが、前記高精細モードには対応しないと判別されたとき、前記再生手段は、前記次世代ＤＶＤ層に優先して、前記ＤＶＤ層に対する再生処理を実行することを特徴とする。
【００１７】
請求項９の発明は、請求項８に記載の光ディスク装置において、前記再生手段は、前記次世代ＤＶＤ層に対するジャンプ指令に応じて、前記次世代ＤＶＤ層に対する再生処理を実行することを特徴とする。
【００１８】
請求項１０の発明は、請求項６ないし９の何れかに記載の光ディスク装置において、前記判別手段は、前記接続先モニターの機能を評価するための情報を前記接続先モニターから取得する手段を備えることを特徴とする。
【００１９】
以下に示す実施の形態には、ＨＤＭＩ（High-Definition Multimedia Interface）（エイチディーエムアイ・ライセンシング，エルエルシーの登録商標）を介してモニターから適宜情報を取得することにより、接続先モニターの機能を判別する構成が例示されている。このとき、接続先モニターの機能に関する情報として、モニター解像度や縦横比、デジタル出力端子の有無等を示す情報が取得される。このうち、モニター解像度および縦横比から、当該接続先モニターがＨＤモードにて画像を表示可能かが判別され、デジタル出力端子の有無を示す情報から接続先モニターの著作権保護機能が十分であるかが判別される。
【００２０】
なお、以下に示す実施形態では、主として、コントローラ１０６にて、本発明の各手段における処理が実現される。
【発明の効果】
【００２１】
本発明によれば、接続先モニターの機能に基づいて、ＤＶＤ層と次世代ＤＶＤ層の何れを優先して再生するかが選択的に設定される。
【００２２】
たとえば、接続先モニターの著作権保護機能が予め設定された条件を充足する場合には次世代ＤＶＤ層の再生が優先され、条件を充足しなければＤＶＤ層の再生が優先される。また、接続先モニターの機能が高精細モード（ＨＤモード）に対応する場合には次世代ＤＶＤ層の再生が優先され、ＨＤモードに対応しなければＤＶＤ層の再生が優先される。したがって、ＨＤＤＶＤ層に記録されたＨＤモードのビデオコンテンツが接続先モニターを介して外部に流出する可能性を効果的に抑制することができ、当該コンテンツの著作権保護の徹底を図ることができる。
【００２３】
特に、請求項４の発明のように、接続先モニターの著作権保護機能が条件を充足しない場合には、次世代ＤＶＤ層に対する再生処理を禁止するようにすれば、著作権保護の更なる徹底を図ることができる。
【００２４】
本発明の効果ないし意義は、以下に示す実施の形態の説明により更に明らかとなろう。ただし、以下の実施形態は、あくまでも、一つの例示であって、本発明ないし各構成要件の用語の意義は、以下の実施の形態に制限されるものではない。
【発明を実施するための最良の形態】
【００２５】
以下、本発明の実施の形態につき図面を参照して説明する。
【００２６】
なお、本実施の形態では、次世代ＤＶＤ（シングルレイヤー、ＨＤＤＶＤ層片面マルチレイヤー、ＨＤＤＶＤ層／ＤＶＤ層片面ハイブリッド）と、ＤＶＤ（シングルレイヤー、ＤＶＤ層片面マルチレイヤー）を互換再生可能な光ディスク装置が例示されている。
【００２７】
図１に、ハイブリッド型次世代ＤＶＤの構造を示す。
【００２８】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層１６を形成した構造となっている。レーザ光は、基板１３側から入射される。記録可能タイプの場合、ＨＤＤＶＤ層１２とＤＶＤ層１４には螺旋状のトラックが形成されている。再生専用タイプの場合、螺旋状にピットが配列されている。
【００２９】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。なお、ＤＶＤ層１４は、波長４０５ｎｍ程度の青色レーザ光と波長６５５ｎｍ程度の赤色レーザ光をそれぞれ規定された割合にて透過および反射する。
【００３０】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない（将来的には含まれる可能性はある）。なお、ＨＤＤＶＤ層１４は、青色レーザ光を規定された反射率にて反射するが、赤色レーザ光に対する反射率はこれに比べて極めて低くなる材料にて形成されている。
【００３１】
ＤＶＤ層が片面に２層配されたマルチレイヤータイプのＤＶＤは、図１の構成において、ＨＤＤＶＤ層１２がＤＶＤ層に置き換わった構成となっている。この場合、ＤＶＤ層のリードイン情報には、ＤＶＤ層が２つ存在することを示す情報が含まれている。
【００３２】
また、ＨＤＤＶＤ層が片面に２層配されたマルチレイヤータイプの次世代ＤＶＤは、図１の構成において、ＤＶＤ層１４がＨＤＤＶＤ層に置き換わった構成となっている。この場合も、ＨＤＤＶＤ層のリードイン情報に、ＨＤＤＶＤ層が２つ存在することを示す情報が含まれている。
【００３３】
図２（ａ）は、ＤＶＤ層またはＨＤＤＶＤ層を片面に２層有するマルチレイヤータイプのＤＶＤまたは次世代ＤＶＤに赤色レーザ光を照射してフォーカスサーチを行ったときのフォーカスエラー信号上のＳカーブを模式的に例示するものである。
【００３４】
図２（ｂ）は、ハイブリッド型次世代ＤＶＤに赤色レーザ光を照射してフォーカスサーチを行ったときのフォーカスエラー信号上のＳカーブを模式的に例示するものである。
【００３５】
シングルレイヤータイプのＤＶＤ、次世代ＤＶＤに赤色レーザ光を照射してフォーカスサーチを行った場合は、フォーカスエラー信号上に、記録層によるＳカーブが現れる。この場合、このＳカーブの他にも、基板表面によるＳカーブが現れるが、このＳカーブのピーク間隔は図２（ｂ）のピーク間隔ＰＰ２に比べ十分に小さいため、記録層によるＳカーブを検出するための限界値を適宜設定することにより、基板表面によるＳカーブを記録層によるものとして誤検出することを回避することができる。
【００３６】
図３に、光ディスク装置の構成を示す。なお、同図には、再生系に関するブロックのみが示されている。
【００３７】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８と、ＡＶインタフェース１０９を備えている。
【００３８】
光ピックアップ１０１は、波長４０５ｎｍ程度の青色レーザ光と、波長６５５ｎｍ程度の赤色レーザ光を出射する半導体レーザを備えている。さらに、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザから出射される各レーザ光を対物レンズに導くとともにディスクからの反射光を光検出器に導く光学系を備えている。
【００３９】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００４０】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００４１】
レーザ駆動回路１０４は、コントローラ１０６から入力される制御信号をもとに、光ピックアップ１０１内の半導体レーザに駆動信号を出力する。かかる制御により、青色レーザ光および赤色レーザ光の発光が適宜切り替えられる。
【００４２】
復調回路１０５は、信号生成回路１０２から入力されたＲＦ信号を復調して再生データを生成しＡＶ処理回路１０８に出力する。復調回路１０５は、次世代ＤＶＤデータフォーマットに従ってデータ復調を行う復調部（ＨＤＤＶＤデコーダ部）と、ＤＶＤデータフォーマットに従ってデータ復調を行う復調部（ＤＶＤデコーダ部）を備えている。何れの復調部を用いるかは、コントローラ１０６からの制御信号をもとに設定される。また、各復調部における復調の可否とリードイン情報等のサブ情報が、復調回路１０５からコントローラ１０６に出力される。
【００４３】
コントローラ１０６は、内蔵メモリに各種データを格納するとともに、あらかじめ設定されたプログラムに従って各部を制御する。コントローラ１０６には、ディスク判別処理時に、信号生成回路１０２から、フォーカスエラー信号が入力される。コントローラ１０６は、この信号をもとに、ディスク判別を行う。
【００４４】
さらに、コントローラ１０６は、ＡＶインタフェース１０９を介して接続先モニター（ＴＶ装置２００）にモニター仕様の問い合わせを行い、これに対する応答に基づいて、ＴＶ装置２００の機能を判別する。具体的には、ＴＶ装置２００がＨＤモードの画像を表示可能であるか、および、接続先モニターの著作権保護機能が十分であるかを判別する。そして、ハイブリッド型次世代ＤＶＤが装着された場合に、かかる判別結果に応じて、ＤＶＤ層とＨＤＤＶＤ層の何れを優先して再生するかを選択設定する。
【００４５】
ＡＶ処理回路１０８は、復調回路１０５から入力される再生データを処理して映像情報および音声情報を取得する。これらの情報は、ＡＶインタフェース１０９を介して、ＴＶ装置２００に出力される。この他、コントローラ１０６からの信号に応じて適宜、所定の画面あるいは音声を出力するための情報がＡＶ処理回路１０８からＡＶインタフェース１０９に出力される。
【００４６】
ＡＶインタフェース１０９は、ＡＶ処理回路１０８からのＡＶデータを接続先のＴＶ装置２００に出力するためのインタフェースである。ＡＶインタフェース１０９には、ＨＤモードのＡＶデータを出力するためのインタフェース（ＨＤ／ＩＦ）と、ＳＤモードのＡＶデータを出力するためのインタフェース（ＳＤ／ＩＦ）が配備されている。
【００４７】
このうち、ＨＤ／ＩＦは、ＨＤＭＩ（High-Definition Multimedia Interface）（エイチディーエムアイ・ライセンシング，エルエルシーの登録商標）規格に従うインタフェースとなっている。かかるインタフェースには、強固なコンテンツ保護機能が実装されている。接続先のＴＶ装置２００側にも当該規格に従うインタフェースが同様に配されている場合、両インタフェースを介して相互に情報のやり取りを行うことができる。
【００４８】
ＳＤ／ＩＦは、ＨＤＭＩ規格に準拠しない通常のＡＶインタフェースである。かかるインタフェースを介して、接続先のＴＶ装置２００と情報のやり取りを行うことはできない。
【００４９】
本実施の形態では、ＨＤ／ＩＦを介して、接続先のＴＶ装置２００にモニター仕様に関する情報の問い合わせが行われる。そして、この問い合わせに対する応答の有無と、応答があった場合にはその内容に基づいて、接続先のＴＶ装置２００の機能が判別され、それに応じて、ハイブリッド型次世代ＤＶＤ中のＤＶＤ層とＨＤＤＶＤ層の何れを優先して再生を行うかが設定される。
【００５０】
図４および図５に、本実施の形態における処理の基本的な流れを示す。
【００５１】
まず、図４を参照して、ＴＶ装置２００に対する問い合わせタイミング（電源ＯＮ時、一定時間間隔、等）が到来すると（Ｓ１０）、ＡＶインタフェース１０９内のＨＤ／ＩＦからモニター仕様に関する情報の問い合わせが出力される（Ｓ１１）。ここで、ＨＤ／ＩＦにＴＶ装置２００が接続されていれば、かかる問い合わせに対する応答がＴＶ装置２００から返信される。一方、ＨＤ／ＩＦにＴＶ装置２００が接続されていなければ、かかる問い合わせに対する応答がＴＶ装置２００から返信されることはない。
【００５２】
コントローラ１０６は、かかる問い合わせに対する応答の有無と、応答内容をもとに、接続先ＴＶ装置２００がＨＤモードに対応するものかを判別する（Ｓ１２）。すなわち、問い合わせに対する応答がなければ、接続先ＴＶ装置２００はＨＤモードに対応できないとされる（Ｓ１４）。応答があれば、かかる問い合わせに対して接続先ＴＶ装置２００から返信されたモニター仕様に関する情報を参照し、これに基づいて当該ＴＶ装置２００がＨＤモードに対応し得るものであるかを判別する（Ｓ１３、Ｓ１４）。
【００５３】
しかる後、ディスクが装着されると、図５に示す再生処理が行われる。まず、装着されたディスクに対する判別処理が行われる（Ｓ２０）。かかる判別は、種々の手法を用いて行うことができる。たとえば、各記録層の情報をレーザ光と復調部を切り替えながら実際に復調し、復調の可否をもとにディスク判別を行うようにすることもできる。
【００５４】
この他、図２に示すフォーカスエラー信号上のＳカーブをもとにディスク判別を行うようにすることもできる。すなわち、赤色レーザ光を点灯した後、当該ディスクに対するフォーカスサーチを行う。そして、フォーカスエラー信号上に現れるＳカーブの個数をもとに、シングルレイヤータイプかマルチレイヤータイプかを判別する。マルチレイヤータイプの場合は、最も大きなＳカーブのピーク間隔ＰＰ１と次に大きなＳカーブのピーク間隔ＰＰ２の比（Ｒ＝ＰＰ２／ＰＰ１）を算出する。そして、このピーク比Ｒが閾値以上であればＤＶＤ層またはＨＤＤＶＤ層が複数配されたマルチレイヤーディスクと判別する。一方、ピーク比Ｒが閾値未満であればＤＶＤ層とＨＤＤＶＤ層が配されたハイブリッド型次世代ＤＶＤと判別する。
【００５５】
なお、ＤＶＤ層またはＨＤＤＶＤ層が複数配されたマルチレイヤーディスクと判別した場合には、さらに、光ピックアップ側から見て最初に位置する記録層を赤色レーザ光にて読み取る。そして、読み取った信号を復調回路１０５のＤＶＤデコーダ部にて復調し、復調の可否を判定する。復調可能であれば、ＤＶＤ層が複数配されたマルチレイヤーディスクと判別する。復調不可であれば、ＨＤＤＶＤ層が複数配されたマルチレイヤーディスクと判別する。なお、この場合、青色レーザ光にて最初の記録層に対する復調の可否を判定し、ＨＤＤＶＤ層が複数配されたマルチレイヤーディスクであることを検証するようにしても良い。
【００５６】
また、フォーカスエラー信号上に現れるＳカーブの個数からシングルレイヤータイプと判別した場合は、当該記録層を赤色レーザ光にて読み取る。そして、読み取った信号を復調回路１０５のＤＶＤデコーダ部にて復調し、復調の可否を判定する。復調可能であれば、ＤＶＤ層が１層配されたシングルレイヤーディスクと判別する。復調不可であれば、ＨＤＤＶＤ層が１層配されたシングルレイヤーディスクと判別する。なお、この場合も、青色レーザ光にて当該記録層に対する復調の可否を判定し、ＨＤＤＶＤ層が１層配されたシングルレイヤーディスクであることを検証するようにしても良い。
【００５７】
Ｓ２０における判別結果がマルチレイヤーあるいはシングルレイヤータイプのＤＶＤ、ＨＤＤＶＤである場合には、判別結果に対応するディスクモードにて再生が行われる。
【００５８】
Ｓ２０における判別結果がハイブリッド型次世代ＤＶＤである場合は、接続先のＴＶ装置２００がＨＤモードに対応するものとされているか（図４のＳ１３、Ｓ１４）が判別される（Ｓ２１）。ＨＤモードに対応する場合には、ＨＤＤＶＤ層を優先した再生処理が行われる（Ｓ２２）。ＨＤモードに対応しない場合には、ＤＶＤ層を優先した再生処理が行われる（Ｓ２３）。
【００５９】
以下、本実施の形態における具体的処理フローについて説明する。
【実施例１】
【００６０】
図６および図７に、本実施例における処理フローを示す。
【００６１】
図６を参照して、接続先ＴＶ装置２００に対する問い合わせタイミングが到来すると（Ｓ１０１）、ＡＶインタフェース１０９内のＨＤ／ＩＦからモニター仕様に関する情報の問い合わせが出力される（Ｓ１０２）。かかる問い合わせに対する応答が無ければ（Ｓ１０３:Ｎ）、ＡＶインタフェース１０９内の出力インタフェースが、ＳＤ／ＩＦに設定され（Ｓ１０８）、さらに、著作権フラグが“０”（イニシャル値）にセットされる（Ｓ１０９）。一方、問い合わせに対する応答があれば（Ｓ１０３:Ｙ）、ＡＶインタフェース１０９内の出力インタフェースが、ＨＤ／ＩＦに設定され（Ｓ１０４）、当該ＴＶ装置２００から取得したモニター仕様情報がメモリに格納される（Ｓ１０５）。
【００６２】
かかるモニター仕様情報には、モニター解像度や縦横比、ビデオデータ出力用のデジタル出力端子の有無等を示す情報が含まれている。
【００６３】
さらに、取得したモニター仕様情報をもとに当該ＴＶ装置２００の著作権保護機能が判定される（Ｓ１０６）。著作権保護機能が予め設定された条件を充足する場合には著作権フラグが“１”にセットされ（Ｓ１０７）、当該条件を充足しない場合には著作権フラグが“０”（イニシャル値）にセットされる（Ｓ１０９）。
【００６４】
なお、著作権保護機能を充足するかの条件は、たとえば、ビデオデータ出力用のデジタル出力端子が当該ＴＶ装置２００に配備されているか、とされる。当該出力端子が配備されている場合には、当該ＴＶ装置２００の著作権保護機能は十分でないとされ、著作権フラグに“０”がセットされる。一方、当該出力端子が配備されていない場合には、当該ＴＶ装置２００の著作権保護機能は設定条件を充足するとされ、著作権フラグに“１”がセットされる。
【００６５】
なお、その他のモニター仕様情報をもって著作権保護機能の充足の可否を判定するようにしても良い。あるいは、ＨＤＭＩ（High-Definition Multimedia Interface）（エイチディーエムアイ・ライセンシング，エルエルシーの登録商標）規格に従うインタフェースは著作権保護機能が強固であるため、ＨＤ／ＩＦからの問い合わせに対する応答があることのみで（Ｓ１０３:Ｙ）、当該ＴＶ装置２００の著作権保護機能が設定条件を充足すると判別するようにしても良い。
【００６６】
しかる後、ディスクが装着されると、図７に示す再生処理が行われる。まず、上述の如くして、装着されたディスクに対する判別処理が行われる（Ｓ２０１）。
【００６７】
かかる判別にて、ハイブリッド型次世代ＤＶＤと判別され、その後、ユーザから再生指令が入力されると、図６の処理フローをもとに設定された著作権フラグが参照される（Ｓ２０２）。ここで、著作権フラグが“１”に設定されている場合には（Ｓ２０２：Ｙ）、青色レーザが点灯され（Ｓ２０３）、ＨＤＤＶＤ層に対する再生処理が行われる（Ｓ２０４）。そして、再生されたデータが、図６の処理フローにて設定されたインタフェースから接続先ＴＶ装置２００に出力される（Ｓ２０５）。かかる再生処理は、ＨＤＤＶＤ層に対する再生が終了するまで行われる（Ｓ２０６）。
【００６８】
一方、著作権フラグが“０”に設定されている場合には（Ｓ２０２：Ｎ）、赤色レーザが点灯され（Ｓ２０７）、ＤＶＤ層に対する再生処理が行われる（Ｓ２０８）。そして、再生されたデータが、図６の処理フローにて設定されたインタフェースから接続先ＴＶ装置２００に出力される（Ｓ２０９）。かかる再生処理は、ＤＶＤ層に対する再生が終了するまで行われる（Ｓ２１０）。
【００６９】
本実施例によれば、接続先ＴＶ装置２００の著作権保護機能が設定条件を満たす場合にはＨＤＤＶＤ層の再生を優先し、著作権保護機能が設定条件を満たさない場合にはＤＶＤ層の再生を優先するようにしたため、ＨＤＤＶＤ層にＨＤモードのビデオコンテンツが記録されている場合に、当該コンテンツが接続先ＴＶ装置２００を介して外部に流出するのを抑制することができる。
【実施例２】
【００７０】
本実施例は、上記実施例１における図７の処理フロー（再生時）を一部変更したものである。
【００７１】
図８に、本実施例に係る再生時の処理フローを示す。本処理フローでは、図７に比べ、Ｓ２２０の処理ステップが追加されている。その他のステップは、図７と同様である。
【００７２】
すなわち、Ｓ２０１にて、装着されたディスクがハイブリッド型次世代ＤＶＤであると判別されると、Ｓ２０２にて、著作権フラグを参照する前に、Ｓ２２０にて、接続先ＴＶ装置２００がＨＤモードのビデオ画像を表示可能かが判別される。かかる判別は、図６の処理フローにて取得したモニター仕様情報のうち、たとえば、モニター解像度や縦横比に関する情報を規定値と比較することにより行われる。
【００７３】
かかる判別において、ＨＤモードの表示は不可とされると（Ｓ２２０：Ｎ）、赤色レーザが点灯され（Ｓ２０７）、ＤＶＤ層に対する再生処理が行われる（Ｓ２０８）。以下、図７の場合と同様の処理が行われる。
【００７４】
一方、ＨＤモードの表示が可能であると判別されると（Ｓ２２０：Ｙ）、さらに、著作権フラグが参照され、著作権フラグが“１”にセットされているかが判別される（Ｓ２０２）。そして、著作権フラグが“１”にセットされていれば（Ｓ２０２:Ｙ）、Ｓ２０３に進み、著作権フラグが“０”にセットされていれば（Ｓ２０２：Ｎ）、Ｓ２０７に進む。以下、図７の場合と同様の処理が行われる。
【００７５】
本実施例によれば、上記実施例１の効果に加え、さらに、ＨＤＤＶＤ層の不要な再生が回避されるとの効果を奏することができる。すなわち、接続先ＴＶ装置２００がＨＤモードのビデオ画像を表示できない場合には、著作権フラグが“１”にセットされていようとも、ＤＶＤ層の再生が優先される。これにより、ＨＤＤＶＤ層に対する不要な再生が回避され、ＨＤＤＶＤ層に記録されているＨＤモードのビデオコンテンツの流出をさらに抑制することができる。
【実施例３】
【００７６】
本実施例は、上記実施例１における図７の処理フロー（再生時）を一部変更したものである。
【００７７】
図９に、本実施例に係る再生時の処理フローを示す。本処理フローでは、図７の処理フローにおけるＳ２０２の処理ステップがＳ２２０の処理ステップに置き換えられている。その他のステップは、図７と同様である。
【００７８】
上記図７の処理フローでは、著作権フラグをもとに、ＨＤＤＶＤ層とＤＶＤ層の何れを優先するかを設定するようにしたが、本実施例では、著作権フラグを参照せずに、接続先ＴＶ装置２００がＨＤモードのビデオ画像を表示可能かに応じて、ＨＤＤＶＤ層とＤＶＤ層の何れを優先するかを設定するようにしている。
【００７９】
すなわち、Ｓ２０１にて、装着されたディスクがハイブリッド型次世代ＤＶＤであると判別されると、Ｓ２２０にて、接続先ＴＶ装置２００がＨＤモードのビデオ画像を表示可能かが判別される。かかる判別は、図６の処理フローにて取得したモニター仕様情報のうち、たとえば、モニター解像度や縦横比に関する情報を規定値と比較することにより行われる。
【００８０】
かかる判別において、ＨＤモードの表示は不可とされると（Ｓ２２０：Ｎ）、赤色レーザが点灯され（Ｓ２０７）、ＤＶＤ層に対する再生処理が行われる（Ｓ２０８）。以下、図７の場合と同様の処理が行われる。
【００８１】
一方、ＨＤモードの表示が可能であると判別されると（Ｓ２２０：Ｙ）、青色レーザが点灯され（Ｓ２０３）、ＨＤＤＶＤ層に対する再生処理が行われる（Ｓ２０４）。以下、図７の場合と同様の処理が行われる。
【００８２】
本実施例によれば、ＨＤＤＶＤ層に対する不要な再生が回避されるとの効果を奏することができる。すなわち、接続先ＴＶ装置２００がＨＤモードのビデオ画像を表示できない場合には、ＤＶＤ層の再生が優先される。これにより、ＨＤＤＶＤ層に対する不要な再生が回避され、ＨＤＤＶＤ層に記録されているＨＤモードのビデオコンテンツの流出を抑制することができる。
【実施例４】
【００８３】
本実施例は、上記各実施例において、ＨＤＤＶＤ層あるいはＤＶＤ層の何れかが優先された後に、ユーザあるいはアプリケーションからの指令に応じて、他方の記録層へジャンプし、当該他方の記録層に対する再生が行われる場合の処理に関するものである。
【００８４】
図１０は、上記各実施例にてＤＶＤ層が優先された後の処理フローを示すものである。
【００８５】
著作権フラグあるいはＨＤモードによる表示の可否をもとに、ＤＶＤ層に対する再生が優先されると、赤色レーザが点灯され（Ｓ２０７）、ＤＶＤ層に対する再生処理が行われる（Ｓ２０８）。そして、再生されたデータが、図６の処理フローにて設定されたインタフェースから接続先ＴＶ装置２００に出力される（Ｓ２０９）。かかる再生処理は、ＨＤＤＶＤ層へのジャンプ指令がなければ（Ｓ２３０：Ｎ）、ＤＶＤ層に対する再生が終了するまで行われる（Ｓ２１０）。
【００８６】
ＤＶＤ層に対する処理中に、ＨＤＤＶＤ層へのジャンプ指令がコントローラ１０６に入力されると（Ｓ２０３：Ｙ）、ＨＤＤＶＤ層に記録されたビデオコンテンツがＨＤモードによるものであるかが判別される（Ｓ２３１）。
【００８７】
かかる判別は、ＨＤＤＶＤ層のサブ情報に含まれる情報を参照することにより行われる。ＨＤＤＶＤ層のサブ情報は、たとえば、図７、図８、図９の処理フローにおけるディスク判別時（Ｓ２０１）に、予め、読み取っておくようにする。すなわち、ディスク判別の際に、併せて、リードイン情報等、各記録層におけるサブ情報を読み取り、メモリに格納する。かかるサブ情報には、各記録層に記録されたビデオコンテンツがＨＤモードとＳＤモードの何れによるものかを識別するための情報が含まれている。
【００８８】
Ｓ２３１にて、ＨＤＤＶＤ層に記録されたビデオコンテンツがＨＤモードによるものではないと判別されると（Ｓ２３１：Ｎ）、青色レーザが点灯され（Ｓ２３３）、ＨＤＤＶＤ層に対するジャンプおよび再生処理が行われる（Ｓ２３４）。そして、再生されたデータが、図６の処理フローにて設定されたインタフェースから接続先ＴＶ装置２００に出力される（Ｓ２３５）。かかる再生処理は、ＤＶＤ層へのジャンプ指令がなければ（Ｓ２３６：Ｎ）、ＨＤＤＶＤ層に対する再生が終了するまで行われる（Ｓ２３７）。
【００８９】
ＨＤＤＶＤ層に対する処理中に、再び、ＤＶＤ層へのジャンプ指令がコントローラ１０６に入力されると（Ｓ２３６：Ｙ）、赤色レーザが点灯され（Ｓ２０７）、ＤＶＤ層に対する再生処理が行われる（Ｓ２０８）。この場合、たとえば、先のジャンプ時の位置に続く位置から、ＤＶＤ層の再生が再開される。
【００９０】
Ｓ２３１にて、ＨＤＤＶＤ層に記録されたビデオコンテンツがＨＤモードによるものであると判別された場合には（Ｓ２３１：Ｙ）、著作権フラグが参照される（Ｓ２３２）。ここで、著作権フラグが“１”の場合には、青色レーザが点灯され（Ｓ２３３）、ＨＤＤＶＤ層に対する再生処理が行われる（Ｓ２３４）。以下、同様の処理が行われる。
【００９１】
著作権フラグが“０”の場合には、ＨＤＤＶＤ層へのジャンプは行われず、ＤＶＤ層の再生がそのまま継続される（Ｓ２０８）。この際、ＨＤＤＶＤ層へのジャンプは禁止されたことを示す通知をＴＶ装置２００の画面上に重ね表示するようにしても良い。
【００９２】
なお、図１０の処理フローは、初期動作において、ＤＶＤ層が優先された場合のものであったが、ＨＤＤＶＤ層の再生が優先された場合には、著作権フラグを参照することなく、ＤＶＤ層へのジャンプ指令に応じて適宜、ＤＶＤ層へのジャンプを実行するようにすればよい。
【００９３】
本実施例によれば、接続先ＴＶ装置２００の著作権保護機能が設定条件を満たす場合にのみＨＤＤＶＤ層への再生ジャンプを行い、著作権保護機能が設定条件を満たさない場合にはＨＤＤＶＤ層への再生ジャンプを禁止するようにしたため、ＨＤＤＶＤ層にＨＤモードのビデオコンテンツが記録されている場合に、当該コンテンツが接続先ＴＶ装置を介して外部に流出するのを、さらに徹底して抑制することができる。
【００９４】
以上、本発明の実施例について種々例示したが、本発明の実施形態は、上記実施例に限定されるものではなく、この他にも、種々の変更が可能なものである。
【００９５】
本発明は、上記実施の形態により制限されるものではなく、特許請求の範囲に示された構成要素によって技術的範囲が解釈されるものである。
【図面の簡単な説明】
【００９６】
【図１】実施の形態に係るハイブリッド型次世代ＤＶＤの構造を示す図
【図２】実施の形態に係るフォーカスエラー信号のＳカーブを説明する図
【図３】実施の形態に係る光ディスク装置の構成を示す図
【図４】実施の形態に係るモニター判別時の基本的流れを示すフローチャート
【図５】実施の形態に係るディスク再生時の基本的流れを示すフローチャート
【図６】実施例１に係るモニター判別時の処理フローチャート
【図７】実施例１に係るディスク再生時の処理フローチャート
【図８】実施例２に係るディスク再生時の処理フローチャート
【図９】実施例３に係るディスク再生時の処理フローチャート
【図１０】実施例４に係るディスク再生時（ジャンプ時）の処理フローチャート
【符号の説明】
【００９７】
１０１  光ピックアップ
１０２  信号生成回路
１０３  サーボ回路
１０４  レーザ駆動回路
１０５  復調回路
１０６  コントローラ
１０９  ＡＶインタフェース
【図１】
2007012182.tif 000003
【図２】
2007012182.tif 000004
【図３】
2007012182.tif 000005
【図４】
2007012182.tif 000006
【図５】
2007012182.tif 000007
【図６】
2007012182.tif 000008
【図７】
2007012182.tif 000009
【図８】
2007012182.tif 000010
【図９】
2007012182.tif 000011
【図１０】
2007012182.tif 000012